(57)【要約】【課題】異常事態を発生する虞のある箇所が広い面積を有する場合でも、その箇所の或る局所に発生した異常事態を誤動作無く確実に感知し、しかも危険箇所や目視出来ない箇所でも設置でき、加えてコスト的にも有利な異常感知機能付ネットを提供する。【解決手段】２系統の電導線２、３の一方を予め設定した異常条件下で絶縁機能を失う性状の絶縁体４で被覆し、２系統の電導線２、３を弾力がある状態で接したネット５にすると共に、ネット５の電導線２、３に電流を流し且つ電導線２、３の電気的導通の監視装置６を有してなり、この監視装置６にてネット５の電導線２、３間の電気的導通を監視することで、ネット５上及びその近辺における異常を感知するから、上記課題を達成できる。【選択図】        図１
2005235151.tif 000002
【特許請求の範囲】
【請求項１】
２系統の電導線のうち少なくとも一方を予め設定した異常条件下で絶縁機能を失う性状の絶縁体で被覆し、前記２系統の電導線を弾力がある状態で接したネットにすると共に、該ネットにおける前記２系統の電導線のうち少なくとも一方に電流を流し、且つ前記２系統の電導線の電気的導通の監視装置を有してなり、該監視装置にて前記ネットの前記２系統の電導線間の電気的導通を監視することで、前記ネット上及びその近辺における異常を感知するようにしたことを特徴とする異常感知機能付ネット。
【請求項２】
前記ネットの前記２系統の電導線を、それぞれ異なる異常条件下で絶縁機能を失う性状の絶縁体で被覆してなり、一方の異常条件下となり一方の絶縁体の絶縁機能を失い且つ他方の異常条件下となり他方の絶縁体の絶縁機能を失ったとき、前記ネット上及びその近辺における異常を感知するようにした請求項１記載の異常感知機能付ネット。
【請求項３】
前記ネットの前記２系統の電導線のうち少なくとも一方を１本つなぎ線として電流を流し、この１本つなぎ線とした電導線の断線を感知するようにした請求項１または２記載の異常感知機能付ネット。
【発明の詳細な説明】
【技術分野】
【０００１】  本発明は、広い面における局所に発生した異常事態を逃さず感知することが出来る異常感知機能付ネットに関する。
【背景技術】
【０００２】  従来、流体の流れるダクト内、空調機器におけるプレフィルター面あるいは実験室の床、壁、天井などの広い面積を有する箇所での異常事態の発生、例えば、火災や薬品の漏れの発生を早期に発見するには、人による常時監視、あるいは広い面積を有する箇所に異常事態の発生を感知するセンサを多数配置して、この多数のセンサから得た感知情報によっていた。
【発明の開示】
【発明が解決しようとする課題】
【０００３】  しかしながら、上記した人による常時監視は、大規模な施設では人が常駐している場合がほとんどであるから実現可能であるが、施設内容により人による監視が出来ないものもある。また、中小規模の施設では、人の常駐がほとんど無くコスト面から不可能となる。【０００４】  また、センサを多数配置する方式は、火災などの異常事態の発生を感知することができるが、コスト的に合わない。例えば、空調機器におけるフィルター面の局所に異常事態である火災が発生した場合に、温度上昇を火災を感知するセンサが捉えて火災を感知してその情報を出すのであるが、このセンサが１つであると、フィルター面の火災発生箇所から少し離れていると、その温度上昇をセンサが捉えるまでに時間がかかり、手遅れとなってしまう。これを防ぐために、センサの感度を上げると、実際に火災が起きていないのに火災が発生していると感知して、センサが誤った情報を出してしまう。【０００５】  そこで、本発明は、上記事情に鑑みてなされたもので、異常事態を発生する虞のある箇所が広い面積を有していても、その箇所の或る局所に発生した異常事態を誤動作無く確実に感知し、しかも危険箇所や目視出来ない箇所でも設置でき、加えてコスト的にも有利な異常感知機能付ネットを提供することを課題とする。
【課題を解決するための手段】
【０００６】  本発明は、上記課題を達成するために提案されたものであって、下記の構成からなることを特徴とするものである。
すなわち、請求項１記載の発明は、２系統の電導線のうち少なくとも一方を予め設定した異常条件下で絶縁機能を失う性状の絶縁体で被覆し、前記２系統の電導線を弾力がある状態で接したネットにすると共に、該ネットにおける前記２系統の電導線のうち少なくとも一方に電流を流し、且つ前記２系統の電導線の電気的導通の監視装置を有してなり、該監視装置にて前記ネットの前記２系統の電導線間の電気的導通を監視することで、前記ネット上及びその近辺における異常を感知するようにしたことを特徴とする。【０００７】  請求項２記載の発明は、前記ネットの前記２系統の電導線を、それぞれ異なる異常条件下で絶縁機能を失う性状の絶縁体で被覆してなり、一方の異常条件下となり一方の絶縁体の絶縁機能を失い且つ他方の異常条件下となり他方の絶縁体の絶縁機能を失ったとき、前記ネット上及びその近辺における異常を感知するようにしたことを特徴とする。【０００８】  請求項３記載の発明は、前記ネットの前記２系統の電導線のうち少なくとも一方を１本つなぎ線として電流を流し、この１本つなぎ線とした電導線の断線を感知するようにしたことを特徴とする。
【発明の効果】
【０００９】  本発明によれば、以下のような効果がある。
請求項１記載の発明は、ネット上の或る箇所及びその或る箇所近辺（局所）で異常が発生し、その異常が予め設定した異常条件に達すると、絶縁体がその絶縁機能を失い２系統の電導線の電気的導通を監視装置が見て、ネット上の局所及びその局所近辺で発生した異常を感知する。したがって、異常事態を発生する虞の有る箇所が広い面積を有していても、その局所に発生した異常事態を誤動作無く確実に感知し、しかもネットであるから危険箇所や目視出来ない箇所でも設置でき、加えて単に絶縁体で被覆したネットであるからコスト的にも有利となる効果がある。【００１０】  請求項２記載の発明は、ネット上の局所及びその局所近辺で異常が発生し、その異常が予め設定した一方の異常条件に達すると一方の絶縁体がその絶縁機能を失い、且つ予め設定した他方の異常条件に達すると他方の絶縁体が絶縁機能を失ったとき２系統の電導線の電気的導通を監視装置が見て、ネット上の局所及びその局所近辺で発生した異常を感知する。したがって、上記効果に加えて、２つの異常がある時に真に異常が発生したとすることができる。【００１１】  請求項３記載の発明は、ネットの１本つなぎ線とした電導線の電気的導通を監視装置が見て、電気的導通が無いとき電導線の断線を感知する。したがって、上記効果に加えて、ネット自らの異常感知機能を監視できる。
【発明を実施するための最良の形態】
【００１２】  以下に、図面を参照して本発明を実施するための最良の形態を説明する。
【実施例１】
【００１３】  図１は本発明の異常感知機能付ネットのフローシート図、図２は本発明の異常感知機能付ネットの構成図である。両図において、１は異常感知機能付ネットであり、この異常感知機能付ネット１は、２系統の電導線２、３のうち少なくとも一方を予め設定した異常条件下で絶縁機能を失う性状の絶縁体４で被覆し、２系統の電導線２、３を弾力がある状態で接したネット５にすると共に、このネット５における２系統の電導線２、３のうち少なくとも一方に電流を流し、且つ２系統の電導線２、３の電気的導通の監視装置６を有してなり、この監視装置６にてネット５の２系統の電導線２、３間の電気的導通を監視することで、ネット５上及びその近辺における異常を感知するようにしたものである。なお、異常とは、火災などの高温状態や薬品や有害ガスの漏れなど、定常状態を逸脱し人体や環境に不都合をもたらすことを言う。【００１４】  前記２系統の電導線２、３は、銅、アルミニウム、鉄、導電性プラスチックなどの電導体であり、ネット状に加工でき且つ多少の弾性があれば、特に限定がない。この多少の弾性の程度は、予め設定した異常条件下で被覆してある絶縁体４が溶解あるいは蒸発などして電導線２、３が剥き出しになった際、電導線２、３が接触して電気的導通する程度の弾性である。また、これら２系統の電導線２、３は、同材質であっても異材質であっても良く、要は予め設定する異常条件の内容によりそれらの材質を決定する。更に、これら２系統の電導線２、３は、図２に示すように、いずれも１本つなぎ線であり、平織り状の前記ネット５にする。【００１５】  前記絶縁体４は、予め設定した異常条件下で、例えば、火災などの高温時、溶解あるいは蒸発などして電導線２、３が剥き出しになり、電導線２、３が接触して電気的導通することで、絶縁機能を失うことを想定している。しかしながら、絶縁体４は、これに限定せず、絶縁体４が予め設定した異常条件下で溶解あるいは蒸発などしないで、単にその異常条件下で絶縁機能を失い、その結果電導線２、３間で電気的導通するような性状のものがあれば、そのようなものでも良い。【００１６】  また、予め設定した異常条件が薬品やガスの漏れである場合も、それら薬品やガスにより絶縁体４が溶解あるいは蒸発などして電導線２、３が剥き出しになり、電導線２、３が接触して電気的導通することで、絶縁機能を失うパターンであれば、適用できる。【００１７】  そして、電導線２、３に対する絶縁体４の被覆方法は、特に限定がなく、コーティングでも巻いても良い。この実施例１では、２系統の電導線２、３はいずれも銅線であり、双方ともに１００℃程度の熱によって溶解するポリオレフィン系の樹脂である絶縁体４により巻かれている。【００１８】  前記ネット５は、２系統の電導線２、３を弾力がある状態で、平織り状に編んだものである。このネット５の形態は、広い面積をカバーし、予め設定した異常条件下で被覆してある絶縁体４が溶解あるいは蒸発などして電導線２、３が剥き出しになり、電導線２、３が接触して電気的導通する形態であれば、特に限定がない。したがって、ネット５の形態は、後に詳述するような各種のものがある。【００１９】  前記監視装置６は、電導線２の接点Ａ、Ｂ間���電気的導通、すなわち、電導線２の断線状態を見るＡＢ監視器１０と、電導線３の接点Ｃ、Ｄ間の電気的導通、すなわち、電導線３の断線状態を見るＣＤ監視器１１と、電導線２、３間の電気的導通、すなわち、予め設定した異常が今まさに電導線２、３からなるネット５上あるいはその近辺に起きている状態を見る異常監視器１２と、からなる。ＡＢ監視器１０は電導線２の接点Ａ、Ｂ間に接続し、ＣＤ監視器１１は電導線３の接点Ｃ、Ｄ間に接続し、異常監視器１２は電導線２、３間に接続している。そして、これら監視装置６のＡＢ監視器１０、ＣＤ監視器１１及び異常監視器１２は任意の外部機器に接続している。【００２０】  ＡＢ監視器１０が電導線２の接点Ａ、Ｂ間の電気的導通が有ることを見ているときは、断線が無く正常であることを示し、その旨外部機器に対して信号を送る。一方、ＡＢ監視器１０が電導線２の接点Ａ、Ｂ間の電気的導通が無いときは、断線が有り正常でないことを示し、その旨外部機器に対して信号を送る。【００２１】  ＣＤ監視器１１が電導線３の接点Ｃ、Ｄ間の電気的導通が有ることを見ているときは、断線が無く正常であることを示し、その旨外部機器に対して信号を送る。一方、ＣＤ監視器１１が電導線３の接点Ｃ、Ｄ間の電気的導通が無いときは、断線が有り正常でないことを示し、その旨外部機器に対して信号を送る。【００２２】  異常監視器１２が電導線２、３間の電気的導通が有ることを見ているときは、これらの電導線２、３を被覆している絶縁体４が溶解あるいは蒸発などして、電導線２、３が剥き出しになり絶縁機能を失い、電導線２、３が接触して電気的導通をしたのであるから、予め設定した異常が電導線２、３からなるネット５上あるいはその近辺に起きたことを示し、その旨外部機器に対して信号を送る。一方、異常監視器１２が電導線２、３間の電気的導通が無いことを見ているときは、予め設定した異常がネット５上あるいはその近辺に起きていないことを示す。【００２３】  次に、上記構成になる異常感知機能付ネット１の利用方法について説明する。
まず、図３に示す喫煙所用の空気清浄機２０の吸引口２１にプレフィルターとして、異常感知機能付ネット１を装着する。この空気清浄機２０は、テーブルタイプであり、天板２２上に吸引口２１があり、天板２２下の箱体２３内にプレフィルターである異常感知機能付ネット１を通過した微細粒子を除去する電気集塵機２４があり、更にその下流に電気集塵機２４により除去できなかった臭い成分や超微細粒子を除去するための脱臭フィルター２５を装備している。そして、脱臭フィルター２５の更に下流にファン２６が設けられ、箱体２３下面に排出口２７が設けられている。したがって、ファン２６を作働させ、空気清浄機２０回りで人が喫煙すると、吸引口２１から周囲のエアーと共に煙草の煙が箱体２３内に入り、まず、プレフィルターである異常感知機能付ネット１により粗大な粒子を除去し、更に電気集塵機２４及び脱臭フィルター２５により微細粒子、臭い成分や超微細粒子を除去して清浄化エアーを排出口２７から排出する。なお、図３中、２８は煙草の煙の有効吸引領域を水平方向に広げるための天笠である。【００２４】  このような空気清浄機２０の運転中にプレフィルターである異常感知機能付ネット１のいずれかの箇所に綿埃などが溜まって、その綿埃に煙草の火種などが落ち、綿埃に火がつく場合がある。そうなると当然その箇所のネット５の温度が上昇し、電導線２、３を被覆している絶縁体４が溶解して、電導線２、３が剥き出しとなり絶縁機能を失い、常時弾力がある状態で接している電導線２、３が接触して電気的導通をすることになり、それを監視装置６の異常監視器１２が見て火災がネット５上あるいはその近辺に起きたことを感知し、その旨外部機器に対して信号を送り、すぐに対応が可能となる。すなわち、ネット５上あるいはその近辺に起きたすべての火災をすぐに感知出来て、火災予防に万全となる。一方、異常監視器１２が電導線２、３間の電気的導通が無いことを見ているときは、ネット５上あるいはその近辺に火災が起きていないことを示す。【００２５】  また、何らかの事情で、電導線２あるいは３が断線すると、ＡＢ監視器１０あるいはＣＤ監視器１１が電導線２の接点Ａ、Ｂ間あるいは電導線３の接点Ｃ、Ｄ間の電気的導通が無いと見て、その旨外部機器に対して信号を送り、すぐに対応が可能となり、ネット５の部分的な破損をすぐに感知できて、メンテナンスが容易となる。【００２６】  なお、上記の例では、２系統の電導線２、３を同じ性状の絶縁体４で巻いてなるネット５であるが、電導線２、３をそれぞれ異なる異常条件下で絶縁機能を失う性状の絶縁体４ａ、４ｂで被覆してなり、一方の異常条件下となり一方の絶縁体４ａの絶縁機能を失い且つ他方の異常条件下となり他方の絶縁体４ｂの絶縁機能を失ったとき、ネット５上及びその近辺における異常を感知する、すなわち、２つの異常のＡＮＤをとるようにしても良い。また、電導線２、３のいずれか一方を絶縁体４で被覆したものでも、上記の例と同じものが得られる。
【実施例２】
【００２７】  図４、５は本発明の他の実施形態を示す異常感知機能付ネット１ａであり、この異常感知機能付ネット１ａと図１、２の実施例１との相違点は、一方が並列電導線３ａとなっている点である。一方の電導線が並列電導線３ａであると、異常感知機能付ネット１ａが作製し易くなり、２系統の電導線２、並列電導線３ａを同じ絶縁体４で巻いてなるネット５ａとする。また、電導線２、並列電導線３ａをそれぞれ異なる異常条件下で絶縁機能を失う性状の絶縁体４ａ、４ｂで被覆して、上述のように、２つの異常のＡＮＤをとるようにしても良い。また、電導線２、並列電導線３ａのいずれか一方を絶縁体４で被覆したものでも良い。更に、電導線２については、ＡＢ監視器１０が電導線２の接点Ａ、Ｂ間の電気的導通の有無を見ることが出来るから、ネット５ａの電導線２の部分的な破損を感知することができる。その他の構成、作用は、図１、２の実施例１と同様なので、図面に符号を付してその説明を省略する。
【実施例３】
【００２８】  図６、７は本発明の他の実施形態を示す異常感知機能付ネット１ｂであり、この異常感知機能付ネット１ｂと図１、２の実施例１との相違点は、双方が並列電導線２ａ、３ａとなっている点である。双方の電導線が並列電導線２ａ、３ａであると、異常感知機能付ネット１ｂが作製し易くなり、２系統の並列電導線２ａ、３ａを同じ絶縁体４で巻いてなるネット５ｂとする。また、並列電導線２ａ、３ａをそれぞれ異なる異常条件下で絶縁機能を失う性状の絶縁体４ａ、４ｂで被覆して、上述のように、２つの異常のＡＮＤをとるようにしても良い。また、並列電導線２ａ、３ａのいずれか一方を絶縁体４で被覆したものでも良い。なお、２系統の電導線が共に並列電導線２ａ、３ａであると、電気的導通の有無を見ることが出来ないから、ネット５ｂの部分的な破損を感知することができない。その他の構成、作用は、図１、２の実施例１と同様なので、図面に符号を付してその説明を省略する。【００２９】  以上、本発明の実施例１ないし３を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００３０】  本発明の異常感知機能付ネットは、広い面積を有する面における火災や薬品あるいはガスの漏れなどの異常事態をできるだけ早期に、しかもできるだけ安価にできるようにしたい場合に、産業上の利用可能性が極めて高くなる。
【図面の簡単な説明】
【００３１】
【図１】  本発明の異常感知機能付ネットのフローシート図である（実施例１）。
【図２】  本発明の異常感知機能付ネットの構成図である（実施例１）。
【図３】  本発明の異常感知機能付ネットを構成する電導線の断面図である（実施例１）。
【図４】  本発明の異常感知機能付ネットを適用した喫煙所用の空気清浄機の断面図である（実施例１）。
【図５】  本発明の他の異常感知機能付ネットのフローシート図である（実施例２）。
【図６】  本発明の他の異常感知機能付ネットの構成図である（実施例２）。
【図７】  本発明の他の異常感知機能付ネットのフローシート図である（実施例３）。
【図８】  本発明の他の異常感知機能付ネットの構成図である（実施例３）。
【符号の説明】
【００３２】      １、１ａ、１ｂ          異常感知機能付ネット
２、３                  電導線
２ａ、３ａ              並列電導線
４、４ａ、４ｂ          絶縁体
５、５ａ、５ｂ          ネット
６                      監視装置
１０                    ＡＢ監視器
１１                    ＣＤ監視器
１２                    異常監視器
２０                    空気清浄機
２１                    吸引口
２２                    天板
２３                    箱体
２４                    電気集塵機
２５                    脱臭フィルター
２６                    ファン
２７                    排出口
２８                    天笠
Ａ、Ｂ、Ｃ、Ｄ          接点
【図１】
2005235151.tif 000003
【図２】
2005235151.tif 000004
【図３】
2005235151.tif 000005
【図４】
2005235151.tif 000006
【図５】
2005235151.tif 000007
【図６】
2005235151.tif 000008
【図７】
2005235151.tif 000009
【図８】
2005235151.tif 000010